(57)【要約】【課題】  従来より、コンセントボックスに機器を接続する際には、接続される機器の定格電流値の合計がコンセントボックスの定格電流値を超えないことを、人間による判断で行っており人的ミスが発生する可能性があった。【解決手段】  機器の電源ケーブルに取り付けられた無線タグより、その機器の定格電流値を読み取るセンサと、センサで読み取った定格電流値の合計とコンセントボックスの定格電流値を比較する比較回路と、前記比較回路の出力信号を受けコネクタへ電源出力する電源出力回路と、前記比較回路のアラーム信号を受け動作するアラーム部とを備え、前記比較回路が、前記機器の定格電流値の合計がコンセントボックスの定格電流値を超えた場合に出力信号をオフし、アラーム信号をオンする。【選択図】      図１
2006269274.tif 000002
【特許請求の範囲】
【請求項１】
機器の電源ケーブルに取り付けられた無線タグより、その機器の定格電流値を読み取るセンサと、センサで読み取った定格電流値の合計とコンセントボックスの定格電流値を比較する比較回路と、前記比較回路の出力信号を受けコネクタへ電源出力する電源出力回路と、前記比較回路のアラーム信号を受け動作するアラーム部とを備え、前記比較回路が、前記機器の定格電流値の合計がコンセントボックスの定格電流値を超えた場合に、前記出力信号をオフし、前記アラーム信号をオンすることを特徴とする過電流事前防止コンセントボックス。
【発明の詳細な説明】
【技術分野】
【０００１】
本発明は過電流事前防止コンセントボックスに関する。
【背景技術】
【０００２】
従来より、コンセントボックスにコンピュータ機器を接続する際には、コンセントボックスに接続したコンピュータ機器の定格電流値の合計がコンセントボックスの定格電流値を超えないように接続する。
【０００３】
この接続確認は人間による判断で行っている。
【０００４】
また従来のコンセントボックスでの過電流防止策はコンセントボックス内にブレーカー  又は電流計を内蔵することで実現していた。
【発明の開示】
【発明が解決しようとする課題】
【０００５】
従来は上記接続確認を人間による判断で行っており人的ミスが発生する可能性がある。
【０００６】
また、ブレーカーを内蔵したコンセントボックスによる過電流防止は、コンセントボックスに接続したコンピュータ機器の負荷が上がりコンセントボックスに対する過電流が発生すると電源瞬断となる。
【０００７】
このためハードディスクやメモリに記憶されていたデータが破壊され、場合によってはコンピュータ機器が故障してしまう可能性がある。
【０００８】
また電流計を内蔵したコンセントボックスによる過電流防止は、コンセントボックスに接続したコンピュータ機器の電流を測定しているためコンピュータ機器稼動中常に電流値を監視しなければならず、また過電流が発生するとコンピュータ機器の電源ＯＦＦ、またはコンピュータ機器に対する負荷の低減などの処置が必要となりコンピュータ機器により提供していたサービスに支障が生じる。
【０００９】
本発明の目的は、コンセントボックスの定格電流値とコンセントボックスに接続したコンピュータ機器の定格電流値を事前に自動比較する事によりコンセントボックス過電流が発生する可能性を事前に発見できることで、人的ミス、コンピュータ機器稼動後のコンセントボックス過電流による電源瞬断、電源瞬断に伴うコンセントボックスに接続したコンピュータ機器のデータロスト、コンピュータ機器の故障、コンピュータ機器により提供していたサービスの停止などを事前に防止することにある。
【課題を解決するための手段】
【００１０】
本発明の過電流事前防止コンセントボックスは、機器の電源ケーブルに取り付けられた無線タグより、その機器の定格電流値を読み取るセンサと、センサで読み取った定格電流値の合計とコンセントボックスの定格電流値を比較する比較回路と、前記比較回路の出力信号を受けコネクタへ電源出力する電源出力回路と、前記比較回路のアラーム信号を受け動作するアラーム部とを備え、前記比較回路が、前記機器の定格電流値の合計がコンセントボックスの定格電流値を超えた場合に、前記出力信号をオフし、前記アラーム信号をオンする。
【発明の効果】
【００１１】
第一の効果は、コンセントボックスの定格電流値とコンセントボックスに接続したコンピュータ機器の定格電流値の比較を自動で行うので人的ミスがなくなる。
【００１２】
第二の効果は、コンセントボックスの定格電流値とコンセントボックスに接続したコンピュータ機器の定格電流値の比較をコンピュータ機器稼動前に行うのでコンピュータ機器稼動後のコンセントボックス過電流による電源瞬断の防止、それに伴うコンセントボックスに接続したコンピュータ機器のデータロスト、コンピュータ機器の故障、コンピュータ機器により提供していたサービスの停止などを事前に防止することができる。
【発明を実施するための最良の形態】
【００１３】
次に、本発明を実施するための最良の形態について図面を参照して詳細に説明する。
【００１４】
図１に基づき実施例の構成を説明する。
【００１５】
コンピュータ１０の電源ケーブル１１のコネクタ部に無線タグを取り付けコンピュータ１０の定格電流値を記憶させる。
【００１６】
同様にコンピュータ２０、周辺装置３０、周辺装置４０の電源ケーブルのコネクタ部に無線タグを取り付け装置の定格電流値を記憶させる。
【００１７】
コンセントボックス５０は電源ケーブルのコネクタ部に取り付けた無線タグより装置の定格電流値を読み取るためのセンサ５５、あらかじめ設定したコンセントボックス５０の定格電流値とセンサ５５にて読み取った接続装置の定格電流値の合計を比較する比較回路５６、接続装置の定格電流値の合計がコンセントボックス５０の定格電流値を超えた時にアラームを上げるアラーム部５８、コンセントボックス５０のコネクタ５１、５２、５３、５４へ電源出力する出力回路５７を持つ。
【００１８】
次に、本発明を実施するための最良の形態の動作について図面を参照して説明する。
【００１９】
図１に基づき実施例の動作を説明する。
【００２０】
コンセントボックス５０にコンピュータ１０、コンピュータ２０、周辺装置３０、周辺装置４０を接続するケースについて説明する。
【００２１】
コンピュータ１０の電源ケーブル１１をコンセントボックス５０のコネクタ５１に接続、コンピュータ２０の電源ケーブル２１をコンセントボックス５０のコネクタ５２に接続、周辺装置３０の電源ケーブル３１をコンセントボックス５０のコネクタ５３に接続、周辺装置４０の電源ケーブル４１をコンセントボックス５０のコネクタ５４に接続する。
【００２２】
このときコンセントボックス５０のセンサ５５より電源ケーブル１１に取り付けた無線タグよりコンピュータ１０の定格電流値を読み取る。
【００２３】
同様に電源ケーブル２１，３１，４１に取り付けた無線タグよりコンピュータ２０、周辺装置３０，４０の定格電流値を読み取る。
【００２４】
センサ５５にて読み取った定格電流値の合計とコンセントボックス５０の定格電流値との比較を比較回路５６にて行い、接続装置の定格電流値の合計がコンセントボックス５０の定格電流値以内の場合には比較回路５６より出力回路５７に対してコネクタ５１，５２，５３，５４への出力信号を送る。
【００２５】
出力回路５７は受け取った出力信号に基づきコネクタ５１，５２，５３，５４に対して電源出力を行う。
【００２６】
接続装置の定格電流値の合計がコンセントボックス５０の定格電流値を超えていた場合には比較回路５６から出力回路５７に対してコネクタ５１，５２，５３，５４への出力信号を送らず出力回路５７からコネクタ５１，５２，５３，５４に対して電源出力しない。
【００２７】
また比較回路５６よりアラーム部５８に対してアラーム信号を送り、アラーム信号を受け取ったアラーム部５８はアラームを上げ使用者に知らせる。
【００２８】
次にコンセントボックス５０にコンピュータ１０、コンピュータ２０、周辺装置３０接続し、コンピュータ１０、コンピュータ２０、周辺装置３０の稼動中にコンセントボックス５０に周辺装置４０を追加接続するケースについて説明する。
【００２９】
コンピュータ１０の電源ケーブル１１がコンセントボックス５０のコネクタ５１に接続、コンピュータ２０の電源ケーブル２１がコンセントボックス５０のコネクタ５２に接続、周辺装置３０の電源ケーブル３１がコンセントボックス５０のコネクタ５３に接続されている。
【００３０】
コンピュータ１０、コンピュータ２０、周辺装置３０の稼動中に周辺装置４０の電源ケーブル４１をコンセントボックス５０のコネクタ５４に接続した場合、コンセントボックス５０のセンサ５５より電源ケーブル１１に取り付けた無線タグよりコンピュータ１０の定格電流値を読み取る。
【００３１】
同様に電源ケーブル２１，３１，４１に取り付けた無線タグよりコンピュータ２０、周辺装置３０，４０の定格電流値を読み取る。センサ５５にて読み取った定格電流値の合計とコンセントボックス５０の定格電流値との比較を比較回路５６にて行い、接続装置の定格電流値の合計がコンセントボックス５０の定格電流値内の場合には比較回路５６より出力回路５７に対してコネクタ５４への出力信号を送る。
【００３２】
出力回路５７は受け取った出力信号に基づきコネクタ５４に対して電源出力を行う。
【００３３】
接続装置の定格電流値の合計がコンセントボックス５０の定格電流値を超えていた場合には比較回路５６から出力回路５７に対してコネクタ５４への出力信号を送らず出力回路５７からコネクタ５４に対して電源出力しない。
【００３４】
また比較回路５６よりアラーム部５８に対してアラーム信号を送り、アラーム信号を受け取ったアラーム部５８はアラームを上げ使用者に知らせる。
【産業上の利用可能性】
【００３５】
本発明は、電源コンセントボックス及び電源装置全般に利用できる。
【図面の簡単な説明】
【００３６】
【図１】本発明の構成を示すブロック図。
【符号の説明】
【００３７】
１０、２０    コンピュータ
１１、２１    電源ケーブル
３０、４０    周辺装置
３１、４１    電源ケーブル
５０    コンセントボックス
５１〜５４    コネクタ
５５    センサ
５６    比較回路
５７    出力回路
５８    アラーム部
【図１】
2006269274.tif 000003